(57)【要約】      （修正有）【課題】ピストン部とシリンダ部との衝突音を低減すると共に、ピストン部とシリンダ部とが密接した時における密着度を高めることができるようにする。【解決手段】負圧湿式予作動スプリンクラー設備における流量制御弁1’にて、水の圧力により前進移動可能に設けられたピストン部６を有し、流入する水の圧力によってコイルバネ１１の付勢力に抗して最前進位置まで移動することにより、シリンダ部２の端部閉塞部分の内面側に密接し、流量を制限する流量制御弁１’にて、ピストン部６が最前進位置で閉塞部分６’と密接する時、ピストンに設置した弾性緩衝材１３により、衝撃を吸収する構造とした。【選択図】図１
2020069063.tif 000002
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体に設けたシリンダ部内で水の圧力により前進移動可能に設けられたピストン部と、該ピストン部を後退移動方向に付勢するコイルバネとによって構成され、
前記ピストン部は、一端部が閉塞された円筒状をなし、他端部に外径が前記シリンダ部の内径と等しいフランジ部を形成し、閉塞部分に前記シリンダ部における他方側の端部の閉塞部分の開口より小径の開口を設けると共に、円筒状部分に該開口より大径の開口を設けてなり、
流入する水の圧力によって前記コイルバネの付勢力に抗して最前進位置まで移動することによりその閉塞部分が前記シリンダ部における他方側の端部の閉塞部分の内面側に密接するようになされる流量制御弁において、
前記ピストン部が最前進位置で前端部閉塞部分と密接する時、弾性緩衝材により密接衝撃を吸収する構造を有することを特徴とする負圧湿式予作動スプリンクラー設備における流量制御弁。
【請求項２】
前記弾性緩衝材は、前記ピストン部に設置されていることを特徴とする請求項１記載の負圧湿式予作動スプリンクラー設備における流量制御弁。
【請求項３】
前記ピストン部は、その前端面における部分をピストン部の本体部分から分割し、該分割部分は、前記弾性緩衝材を介して設置され、ピストン部の移動方向に移動自在に保持したことを特徴とする請求項２記載の負圧湿式予作動スプリンクラー設備における流量制御弁。
【請求項４】
前記分割部分には、前記ピストン部が最前進位置で前記閉塞部分と密接する面に溝を設置し、密着時に少量の流路を形成することを特徴とする請求項１から３のいずれかに記載の負圧湿式予作動スプリンクラー設備における流量制御弁。
【発明の詳細な説明】
【技術分野】
【０００１】
本発明は、二次側配管内に水が充填され且つ火災発生時以外においては負圧状態とする負圧湿式予作動スプリンクラー設備における流量制御弁に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動スプリンクラー設備がある。
【０００３】
図８は斯かる負圧湿式予作動スプリンクラー設備の概略構成図である。該図において１００は負圧湿式予作動スプリンクラー設備である。
【０００４】
１０１は消火水槽１０２から送水ポンプ１０３を介して立ち上がって配管された一次側配管である。１０４は前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は天井部に設置された、火災を感知して火災信号を送出する火災感知器である。
【０００６】
１０８は前記二次側配管１０４に一端側１０８Ａを接続すると共に、他端側１０８Ｂを、真空ポンプ１０９から立ち上がって配管された吸気管１１０と、下端が前記消火水槽１０２まで垂下した排水管１１１とに接続された吸引管である。
【０００７】
１１２は前記吸引管１０８の途中部に設置された、前記二次側配管１０４内の負圧の状態の正常監視時には少量の、配管破損やスプリンクラーヘッド破損等の異常時には多量の流通量とし、放水時には閉止する流量制御弁である。また、該流量制御弁１１２は、図９及び図１０に示すオリフィス付き自動弁であり、口径４０Ａの直動式電磁弁のものがある。そしてまた一例として、その定格はＤＣ２４ボルト、１，５８０ｍＡのものがある。
【０００８】
また、該流量制御弁１１２であるオリフィス付き自動弁は、図９に示す如く、二次側配管１０４内の負圧の状態の正常時（緩慢な圧力上昇）には、入口側の開口１１２ａから本体内に流入した水を含んだ空気は、矢標で示すようにオリフィス（小孔）１１２Ａを通過することによって少量が出口側の開口１１２ｂに流れるようにされている。そしてまた、二次側配管１０４内の負圧の状態の異常時（圧力の急上昇）には、図１０に示す如く、通電によって電磁コイル１１２ｃ及びプランジャ１１２ｄを介して弁体１１２ｅを上昇させ、開放された本来の流路１１２Ｂを通って多量が出口側の開口１１２ｂに流れるようにされているものである。
【０００９】
また、図８において１１３は前記吸引管１０８の途中部における前記流量制御弁１１２より二次側配管１０４側の位置に設置された、二次側配管１０４内の圧力を検出する真空スイッチである。
【００１０】
１１４は火災発生時に前記火災感知器１０７からの火災信号を受信し、後記制御盤に該信号を送信する信号受信盤である。
【００１１】
１１５は前記信号受信盤１１４からの信号を受信し、前記予作動式流水検知装置１０６を開状態として前記一次側配管１０１と二次側配管１０４とを連通状態とすると共に、前記送水ポンプ１０３を作動させる制御盤である。尚、その他図中１１６は前記吸気管１１０の前記吸引管１０８への接続部分に設置した気水分離器、１１７は前記吸引管１０８の前記吸気管１１０と排水管１１１との接続部分に設置した逆止弁である。
【００１２】
そして、火災発生時以外の時には一次側配管１０１と二次側配管１０４のいずれにも水が充填されており、且つ二次側配管１０４内を、吸引管１０８及び吸気管１１０を介して真空ポンプ１０９で負圧状態とするものである。
【００１３】
また、火災発生時には、火災感知器１０７が火災を感知して火災信号を信号受信盤１１４に送信し、そして該信号受信盤１１４から該信号を制御盤１１５に送信する。該信号を受信した制御盤１１５は予作動式流水検知装置１０６を開状態とすると共に送水ポンプ１０３を作動させる。これによりスプリンクラーヘッド１０５から放水が連続して行われるものである。尚、斯かる際には、流量制御弁１１２であるオリフィス付き自動弁は、図９に示す平常時の状態であって、真空ポンプ１０９の作動は停止される。
【００１４】
従来における負圧湿式予作動スプリンクラー設備は上記の通りである。しかし、斯かる設備には二次側配管内の負圧の状態を適正に保持する構成において問題がある。それは、吸引管１０８の途中部に設置された流量制御弁１１２としてオリフィス付き自動弁を用いていることによるものである。
【００１５】
而して、斯かるオリフィス付き自動弁は電磁弁であり、そして、斯かる電磁弁は、無通電時には閉止し、通電時に開放するなど制御方法がシンプルであるというメリットがある一方、消費電流が大きく、且つ弁体の開放中は通電し続けなければならず、大きな電源が必要となる。そして、上記の如く、従来の設備に用いられていたオリフィス付き自動弁は、口径４０Ａの直動式電磁弁のものがあり、そしてまた一例として、その定格はＤＣ２４ボルト、１，５８０ｍＡのものがあり、消費電流も大きく且つ弁体の開放に大きな電源が必要であった。
【００１６】
また、従来用いられていた電磁弁は、上記の通り消費電流も大きく且つ弁体の開放に大きな電源が必要であることから、停電時における問題もある。即ち、停電時において、二次側配管の破損等で二次側配管内の圧力が急上昇する事態が起き、弁を開放させる必要が生じることがあるが、その場合に備えて容量の大きい蓄電池を設けるか、非常電源設備による給電を行うなどの対策が必要であった。しかし、容量の大きい蓄電池を設ける場合には、蓄電池自体の大きさだけでなく、それを収納する制御盤の大きさも大きくなり、コストも増えることになる。また、非常電源設備による給電を行う場合には、予め非常電源設備の設計の際に電源容量を見込む必要があり、設備のリニューアルに対応できない等の問題があった。
【００１７】
そこで、本発明者は、上記負圧湿式予作動スプリンクラー設備において、それに用いる二次側配管内の圧力の適正保持用の流量制御弁として、電力消費の大きい従来のオリフィス付き自動弁に替わる電力不要の流量制御弁を、先に案出した。そして、これを用いることにより上記従来の問題点を悉く解消することができるようになった。
【００１８】
而して、本発明者が先に案出した流量制御弁は、図６及び図７に示した通りである。該図において、１は流量制御弁である。２は両端部が閉塞２Ａ、２Ｂされ、一方側の端部側面に設けた流入口３から流入する水を含んだ空気が他方側の端部の閉塞部分２Ｂに設けた流出口４及び該流出口４の内側に連成された該流出口４より小径の開口５から流出するシリンダ部である。尚、該シリンダ部２の一方側の端部側面に設ける流入口３は、シリンダ部２自体に設ける場合と、図示はしないがシリンダ部２の一方側の端部の閉塞部分２Ａを大きくしてこれに設ける場合とがある。６は前記シリンダ部２内で水の圧力により前進移動可能に設けられたピストン部であり、流入する水の圧力によって後記コイルバネの付勢力に抗して最前進位置まで移動することによりその閉塞部分が前記シリンダ部２の閉塞部分２Ｂの内側面に密接するようになされたものである。また、該ピストン部６は、一端部が閉塞６′された円筒状をなし、他端部に外径が前記シリンダ部２の内径と等しいフランジ部６Ａを形成し、閉塞部分６′の、シリンダ部２における他方側の端部の閉塞部分２Ｂとの対向面に、ピストン部６における閉塞部分６′がシリンダ部２における他方側の端部の閉塞部分２Ｂに密接した状態において、両閉塞部分６′、２Ｂの間に、ピストン部６の外周とシリンダ部２における閉塞部分２Ｂの開口５との間に少量の流通量の流路を形成する溝７を設けると共に、円筒状部分に大径の開口８を設けてなるものである。
【００１９】
９は前記シリンダ部２の一方側の端部の閉塞部分２Ａに摺動自在に貫挿した点検棒であり、前記シリンダ部２内において後記コイルバネの付勢力に抗して前記ピストン部６をその最前進位置まで押し出すものである。また、該点検棒９は前方側の一方の端部を前記ピストン部６の閉塞部分６′に接続している。また、該点検棒９の軸方向の略中央部には後退位置を規制するストッパ９Ｂが形成されると共に、シリンダ部２の一方側の端部の閉塞部分２Ａから突出する後方側の他方の端部には、該シリンダ２の閉塞部分２Ａから該点検棒９を囲むように突設した筒状部１０に出没するフランジ部９Ａを形成している。
【００２０】
１１は前記点検棒のフランジ部９Ａと前記シリンダ部２の閉塞部分２Ａとの間に縮設したコイルバネであり、前記点検棒９を介して前記ピストン部６を後退位置に向けて押圧付勢するものである。
【００２１】
そして、該コイルバネ１１の弾発力（バネ定数）は、火災発生時において二次側配管１０４内に一次側配管１０１から水が供給され、該水の一部が吸引管１０８内に流入した時の圧力によってのみ縮小する程度であることを要する。したがって、流入口３から水が流入し、その圧力が該コイルバネ１１の付勢力を超えている状態でピストン部６は前進移動が行われることになるものである。尚、該コイルバネ１１は、図示はしないが、前記ピストン部６のフランジ部６Ａと前記シリンダ部２の他方側の端部の閉塞部分２Ｂとの間に設ける場合もある。
【００２２】
また、前記筒状部１０と前記点検棒９のフランジ部９Ａとをもって点検棒の変位量の測定手段１２が構成されており、筒状部１０の突出端面１０ａと点検棒９のフランジ部９Ａの外端面９Ａ′との間隔Ｌ１を、ピストン部６が後退位置にある時における該ピストン部６の閉塞部分６′とシリンダ部２の他方側の端部の閉塞部分２Ｂとの相互間隔Ｌ２に対応する間隔とするようになしている。これにより点検棒１０の動きを通してシリンダ部２内のピストン部６の動きや位置を外部から確認することができることになるものである。
【００２３】
また、上記流量制御弁１の作用は、次の通りである。
火災発生時以外のときにおける二次側配管の温度変化による体積膨張や流量制御管等からの微少な空気流入等による緩慢な圧力上昇がある時は、図６に示す如く、ピストン部６は後退位置にあり、シリンダ部２の流入口３から流入した水を含んだ空気は、ピストン部６の大径の開口８を通ってシリンダ部２の開口５と流出口４から流出する。
【００２４】
また、スプリンクラーヘッド等が破損して二次側配管内の圧力が急速に上昇したときには、ピストン部６は図６と同じ後退位置にあって、真空ポンプ１０９が作動する。そして、この吸引によって漏水が防止される。尚、その際において真空ポンプ１０９の吸引力はコイルバネ１１の弾発力より低いためピストン部６は移動しない。
【００２５】
また、火災発生時において一次側配管１０１から二次側配管１０４に水が供給され、その水の一部が吸引管１０８内に流入すると、図７に示す如く、その水の圧力によってコイルバネ１１の付勢力に抗してピストン部６が最前進位置まで移動し、その閉塞部分６′がシリンダ部２の閉塞部分２Ｂの内側面に密接する。また、この時においては真空ポンプ１０９は作動しない。そして、これにより水はピストン部６の溝７を通じて少量しか流れず、スプリンクラーヘッド１０５からの充分な放水が確保される。尚、ピストン部６の溝７から引き続き水が流出するが、該溝７からの流通量は少ないことから流出の影響は少ない。
【００２６】
そして、消火完了後、予作動式流水検知装置１０６が閉止すると、ピストン部６の溝７から水が流出することで二次側配管１０４内の圧力が減少し、ピストン部６はコイルバネ１１によって再び後退位置に戻される。
【００２７】
以上の如く、上記流量制御弁１は、電力を要することなく作動するものである。
【００２８】
また、上記流量制御弁１は、定期的に点検し、加圧水を流入させることなくピストン部６の動作を確認することができるようにした構成も備えている。
【００２９】
斯かる構成は、ピストン部６が後退位置にあって、流入口３から水を含んだ空気が流入し、これらが該ピストン部６の大径の開口８を通ってシリンダ部２の開口５と流出口４から流出する状態が長期間にわたって継続すると、ピストン部６の周囲やシリンダ部２の内面において水に含まれるカルシウムや不純物が析出したり、ゴミが付着し、実際の火災発生時においてピストン部６が正常に動作しない事態が起こる虞があることから、これを防ぐためのものである。
【００３０】
而して、該構成は、前記の通り、シリンダ部２の一方側の端部の閉塞部分２Ａに、前記シリンダ部２内において前記コイルバネ１１の付勢力に抗して前記ピストン部６をその最前進位置まで押し出す点検棒９を備えた構成である。
【００３１】
そして更に、前記の通り、筒状部１０と点検棒９のフランジ部９Ａとをもって点検棒の変位量の測定手段１２が構成されており、筒状部１０の突出端面１０ａと点検棒９のフランジ部９Ａの外端面９Ａ′との間隔Ｌ１を、ピストン部６が後退位置にある時における該ピストン部６の閉塞部分６′とシリンダ部２の他方側の端部の閉塞部分２Ｂとの相互間隔Ｌ２に対応する間隔とするようになしているから、点検棒９の動きを通してシリンダ部２内のピストン部６の動きや位置を外部から確認することができることになるものである。
【発明の概要】
【発明が解決しようとする課題】
【００３２】
本発明者が先に案出した負圧湿式予作動スプリンクラー設備における流量制御弁１は、上記の如き構成、作用であり、そして上記の通りの効果を奏するものではあるが、本発明者は更にピストン動作時における騒音等の面から検討し、これらを改善すべく鋭意研究した結果、本発明の完成をみるに至ったものである。
【００３３】
即ち、本発明者が先に案出した流量制御弁１においては、ピストン部６とシリンダ部２とがいずれも金属同士であるため、ピストン部６が水圧によって最前進位置まで押し出されると、その閉塞部分６′とシリンダ部２の閉塞部分２Ｂの内側面とが激しく衝突し、大きな衝撃音が発生する。そして、この大きな衝撃音は騒音レベルであり、周囲に迷惑がかかることになるものである。
【００３４】
そこで、本発明者はこの問題点を改善すべく更に鋭意研究した結果、ピストン部におけるシリンダ部の閉塞部分の内側面に衝突する部分に衝撃緩衝機能を持たせるようになすことにより、衝撃音の大幅な低減を図ることができることを知見し、本発明の完成をみるに至ったものである。また、これにより更に加えて、ピストン部とシリンダ部の閉塞部分とが密接した状態にあるときにおいて、より良好な密着性を得ることもできるようになるものである。
【課題を解決するための手段】
【００３５】
而して、本発明の要旨とするところは、
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、
前記二次側配管から前記吸気管に流入する空気と水が通過する本体部と、該本体に設けたシリンダ部内で水の圧力により前進移動可能に設けられたピストン部と、該ピストン部を後退移動方向に付勢するコイルバネとによって構成され、
前記ピストン部は、一端部が閉塞された円筒状をなし、他端部に外径が前記シリンダ部の内径と等しいフランジ部を形成し、閉塞部分に前記シリンダ部における他方側の端部の閉塞部分の開口より小径の開口を設けると共に、円筒状部分に該開口より大径の開口を設けてなり、
流入する水の圧力によって前記コイルバネの付勢力に抗して最前進位置まで移動することによりその閉塞部分が前記シリンダ部における他方側の端部の閉塞部分の内面側に密接するようになされる流量制御弁において、
前記ピストン部が最前進位置で前端部閉塞部分と密接する時、弾性緩衝材により密接衝撃を吸収する構造を有することを特徴とする負圧湿式予作動スプリンクラー設備における流量制御弁
にある。
【００３６】
また、上記構成において、前記弾性緩衝材は、前記ピストン部に設置されるように構成することができる。
【００３７】
また、上記構成において、前記ピストン部は、その前端面における部分をピストン部の本体部分から分割し、該分割部分は、前記弾性緩衝材を介して設置され、ピストン部の移動方向に移動自在に保持するように構成することができる。
【００３８】
そしてまた、上記構成において、前記分割部分には、前記ピストン部が最前進位置で前記閉塞部分と密接する面に溝を設置し、密着時に少量の流路を形成するように構成することができる。
【発明の効果】
【００３９】
本発明は上記の如き構成であり、ピストン部を、その前端面における溝を形成した部分をピストン部の本体部分から分割し、該分割部分を、弾性緩衝材を介してピストン部の移動方向に移動自在に保持したものであるから、ピストン部が水圧によって急速に前進し、その前端部がシリンダ部の閉塞部分の内側面と激しく衝突する時において、衝突の衝撃を弾性緩衝材によって緩和することができ、もって衝突の際に発生する大きな衝撃音を大幅に低減し、騒音レベルまでにならないようにすることができるものである。また、ピストン部の分割部分の背面には弾性緩衝材が配設されていることから、該ピストン部の分割部分は弾性緩衝材の復元力によって背面側からシリンダ部の閉塞部分側に向けて押し付けられることになり、もってピストン部の分割部分とシリンダ部の閉塞部分とが密接した状態において両者の密着度を一段と高めることができることになるものである。
【図面の簡単な説明】
【００４０】
【図１】本発明の実施形態に係る負圧湿式予作動スプリンクラー設備における流量制御弁の縦断側面図であり、平常時及びスプリンクラーヘッド破損時の状態を示すものである。
【図２】同火災発生時及び点検時の状態を示すものである。
【図３】同ピストン部の拡大縦断側面図である。
【図４】同ピストン部の分割部分の拡大正面図である。
【図５】同火災発生時及び点検時の状態を示す部分拡大縦断面図である。
【図６】本発明者が先に案出した負圧湿式予作動スプリンクラー設備における流量制御弁の縦断側面図であり、平常時及びヘッド破損時の状態を示すものである。
【図７】同火災発生時の状態を示すものである。
【図８】従来の負圧湿式予作動スプリンクラー設備の概略構成図である。
【図９】従来の負圧湿式予作動スプリンクラー設備におけるオリフィス付き自動弁の作用説明図であり、二次側配管内の圧力の緩慢な上昇時の状態を示すものである。
【図１０】従来の負圧湿式予作動スプリンクラー設備におけるオリフィス付き自動弁の作用説明図であり、二次側配管内の圧力の急速な上昇時の状態を示すものである。
【発明を実施するための形態】
【００４１】
以下、本発明を実施するための形態について、図面を参照して説明する。
【００４２】
図中、１′は流量制御弁である。尚、該流量制御弁１′は、ピストン部におけるシリンダ部の閉塞部分の内側面に接触する前端部分の構成の点を除き、上記本発明者が先に案出した負圧湿式予作動スプリンクラー設備における流量制御弁１と同様である。したがって、同一の部材には同一の符号を付して詳細な説明は省略する。
【００４３】
而して、本実施形態に係る負圧湿式予作動スプリンクラー設備における流量制御弁１′は、本発明者が先に案出した流量制御弁１におけるピストン部６を、その前端面における溝７を形成した部分をピストン部６の本体部分から分割し、該分割部分を、弾性緩衝材を介してピストン部の移動方向に移動自在に保持したことを特徴とするものである。
【００４４】
６Ｂは、前記ピストン部６の前端面における溝７を形成した部分のピストン部６の本体部分から分割した部分であり、本体部分と別体に形成される。また、１３は前記弾性緩衝材であり、ピストン部６の本体部分における前端面に形成された凹部１４内に配設されている。尚、該弾性緩衝材１３はゴムや合成樹脂材からなるものであり、弾性に富み、衝撃吸収力が高いものであればどのようなものでもよい。また、発泡体であってもよい。
【００４５】
また、前記ピストン部６の分割部分６Ｂは、前記弾性緩衝材１３の外側に配設されており、中心部側の外面を押さえる円板状のカラー１５をもってピストン部６の移動方向に移動自在に保持されている。尚、６Ｂ′は、該ピストン部６の分割部分６Ｂの中心部側の外面に形成された段部であり、該段部６Ｂ′に、前記円板状のカラー１５の外周縁部が被さるようになされている。
【００４６】
また、１６は前記ピストン部６と前記点検棒９とを接続するためのネジであり、前記円板状のカラー１５の中心部に穿設したネジ挿通孔１７と、前記ピストン部６の閉塞部分６′の中心部に穿設したネジ挿通孔１８とを挿通し、点検棒９の前端面に刻設した雌ネジ１９に螺合するものである。尚、本実施形態においては、ピストン部６の閉塞部分６′の中心部を、点検棒９の前端部が嵌まり込む形態となしている。
【００４７】
次に、本実施形態の作用について説明する。
平常時及びスプリンクラーヘッド破損時における状態は、図１に示す通りである。そして、火災発生時及び点検時における状態は、図２及び図５に示す通りであり、ピストン部６が水圧によって急速に前進すると、その前端部がシリンダ部２の閉塞部分２Ｂの内側面と激しく衝突する。このときにおいて、本実施形態においては、衝突するピストン部６の分割部分６Ｂの背面に弾性緩衝材１３が配設されていることから、衝突の衝撃はこれに吸収されて大幅に緩和される。そして、これにより衝突の際に発生する大きな衝撃音は大幅に低減され、騒音レベルまでにならないようにすることができるものである。
【００４８】
また、火災発生時における場合には、図５に示す如く、ピストン部６の分割部分６Ｂがシリンダ部２の閉塞部分２Ｂの内側面に密接した状態において、流入した水はピストン部６の分割部分６Ｂの溝７を通じて少量のみが流出する。
【００４９】
また、本実施形態においては、前記の通り衝突するピストン部６の分割部分６Ｂの背面には弾性緩衝材１３が配設されていることから、該ピストン部６の分割部分６Ｂは弾性緩衝材１３の復元力によって背面側からシリンダ部２の閉塞部分２Ｂ側に向けて押し付けられることになるものである。これによりピストン部６の分割部分６Ｂとシリンダ部２の閉塞部分２Ｂとが密接した状態において両者の密着度を一段と高めることができることになるものである。
【符号の説明】
【００５０】
１′  流量制御弁
２  シリンダ部
２Ａ、２Ｂ  閉塞部分
３  流入口
４  流出口
５  開口
６  ピストン部
６′  閉塞部分
６Ｂ  分割部分
７  溝
８  開口
９  点検棒
１０  筒状部
１１  コイルバネ
１２  点検棒の変位量の測定手段
１３  弾性緩衝材
１４  凹部
１５  円板状のカラー
１６  ネジ
【図１】
2020069063.tif 000003
【図２】
2020069063.tif 000004
【図３】
2020069063.tif 000005
【図４】
2020069063.tif 000006
【図５】
2020069063.tif 000007
【図６】
2020069063.tif 000008
【図７】
2020069063.tif 000009
【図８】
2020069063.tif 000010
【図９】
2020069063.tif 000011
【図１０】
2020069063.tif 000012